【手続補正書】
【提出日】平成16年10月21日(2004.10.21)
【手続補正１】
【補正対象書類名】明細書
【補正対象項目名】特許請求の範囲
【補正方法】変更
【補正の内容】
【特許請求の範囲】
【請求項１】  
足板エレメントと、
相互に積み重ねられた上方足関節板および下方足関節板を含み、概ね上方へ湾曲した少なくとも一部分を含む足関節板エレメントと、
前記足関節板エレメントと前記足板エレメントとの間に配置された足関節ブロックと、を備える義足。
【請求項２】
前記足関節ブロックの前方部分に、前記上方足関節板および下方足関節板を囲むストラップをさらに備える請求項１に記載の義足。
【請求項３】
人の足の長さとほぼ等しい長さを有し、その長さに沿って撓み得る弾性材料を含む足板エレメントと、
前記足板エレメントよりも実質的に短い長さを有する少なくとも１つの足関節板エレメントと、
前記足関節板エレメントと足板エレメントとの間に挟まれ比較的軟性があり圧縮可能な材料を含み、前記足板エレメントと前記足関節板エレメントとを支持および連結するソール手段を実質的に提供する足関節ブロックと、
前方への歩行動作に対して実質的に横断方向に向けられて、前記足関節ブロック中を延びる少なくとも１つの開口部と、
前記関節ブロックの後部の楔形切り抜き部と、
を備え、
それにより、前記足板エレメント及び足関節ブロックは、協働して撓んで、踵接地から爪先離地までの、実質的に滑らかで連続した転位移行を提供する義足。
【請求項４】
前記楔形切り抜き部内に挿入された楔形部分をさらに含む請求項３に記載の義足。
【請求項５】  
足板エレメントの長さに沿って撓み得る弾性材料を含む前記足板エレメントと、
少なくとも１つの足関節板エレメントと、
前記足関節板エレメントと前記足板エレメントとの間に挟まれ、比較的軟性があり圧縮可能な材料を含み、前記足板エレメントと前記足関節板エレメントとを支持および連結するソール手段を実質的に提供する前記足関節ブロックであって、当該足関節ブロックは、足関節ブロックの後方部分内に楔形切り抜き部を含み、当該楔形切り抜き部は、前記足関節ブロックの下面へ延びる、前記足関節ブロックと、
を備える義足。
【請求項６】
前記楔形切り抜き部内に挿入された楔形部分をさらに含む請求項５に記載の義足。
【請求項７】
前記楔形部分は、凸形状を有する請求項６に記載の義足。
【請求項８】
前記楔形部分は、前記足関節ブロックの剛性よりも高い剛性を有する請求項６に記載の義足。
【請求項９】
前記楔形部分は、前記足関節ブロックの剛性よりも低い剛性を有する請求項６に記載の義足。
【請求項１０】  
足板エレメントの長さに沿って撓み得る弾性材料を含む前記足板エレメントと、
少なくとも１つの足関節板エレメントと、
前記足関節板エレメントと前記足板エレメントとの間に挟まれ、前記足板エレメントと前記足関節板エレメントとを支持および連結するソール手段を実質的に提供する足関節支持部材と、
前記足関節板エレメントを前記足板エレメントに連結し、前方への歩行動作に対して、前記足関節支持部材の背面に配置され、前記足関節板エレメントと前記足板エレメントとの間の相対的な可撓性を調節可能なストラップと、
を備える義足。
【請求項１１】
前記足関節板エレメントと足板エレメントとの間の前記ストラップの長さは、調節可能である請求項１０に記載の義足。
【請求項１２】
前記ストラップ内に配置された挿入物をさらに含む請求項１０に記載の義足。
【請求項１３】
前記挿入物は、Ｃ字状である請求項１２に記載の義足。
【請求項１４】
足板エレメントと、
前記足板エレメントの上方に配置された足関節板エレメントと、
前記足関節板エレメントと前記足板エレメントとの間に配置された少なくとも１つの足関節ブロックであって、当該足関節ブロックの後部に切り抜き部を含み、当該切り抜き部は、前記足関節ブロックの背面へ延びる前記足関節ブロックと、
前記足関節ブロックの切り抜き部内へ挿入されるように適合され、前記義足の動作特性を選択的に調節するのに望ましい可撓性を有する切り抜き部分と、
を備える義足。
【請求項１５】
前記切り抜き部分は、前記切り抜き部分と嵌合する凸形状を有する楔形部分である請求項１４に記載の義足。
【請求項１６】  
前記足関節ブロックの切り抜き部分は、前記足板エレメントに隣接しそれへ延びる請求項１４に記載の義足。
【請求項１７】  
前記足板エレメントは、曲線形状を有する請求項１４に記載の義足。
【請求項１８】  
前記足板エレメントの長さは、約５インチと約１５インチとの間である請求項１４に記載の義足。
【請求項１９】  
前記足板エレメントは、人の足の長さとほぼ等しい長さを有する単一の足板を含む請求項１４に記載の義足。
【請求項２０】  
前記足関節板エレメントの長さは、前記足板エレメントより短い請求項１４に記載の義足。
【請求項２１】  
前記足関節板エレメントは、実質的に湾曲した足関節部分へ移行する請求項１４に記載の義足。
【請求項２２】  
前記足関節板エレメントは、積み重ねられた底部足関節板および上部足関節板を含む請求項１４に記載の義足。
【請求項２３】  
前記足関節ブロックは、フォームから形成される請求項１４に記載の義足。
【請求項２４】  
前記足関節ブロックは、ウレタンから形成される請求項１４に記載の義足。
【請求項２５】  
前記足関節ブロックは、前記足板エレメントと前記足関節板エレメントとを支持および連結するソール手段を実質的に含む請求項１４に記載の義足。
【請求項２６】  
前記足関節ブロックは、少なくとも１つの開口部またはチャンバーを内部に含む請求項１４に記載の義足。
【請求項２７】  
足板エレメントと、
前記足板エレメントの上方に配置された足関節板エレメントと、
前記足関節板エレメントと前記足板エレメントとの間に配置された少なくとも１つの足関節ブロックと、
前記足関節ブロックの後方において前記足板エレメントへ前記足関節板エレメントを連結するストラップと、
を備える義足。
【請求項２８】  
前記足板エレメントは、曲線形状を有する請求項２７に記載の義足。
【請求項２９】  
前記足板エレメントの長さは、約５インチと約１５インチとの間である請求項２７に記載の義足。
【請求項３０】  
前記足板エレメントは、人の足の長さとほぼ等しい長さを有する単一の足板を含む請求項２７に記載の義足。
【請求項３１】  
前記足関節板エレメントの長さは、前記足板エレメントより短い請求項２７に記載の義足。
【請求項３２】  
前記足関節板エレメントは、実質的に湾曲した足関節部分へ移行する請求項２７に記載の義足。
【請求項３３】  
前記足関節板エレメントは、積み重ねられた底部足関節板および上部足関節板を含む請求項２７に記載の義足。
【請求項３４】  
前記足関節ブロックは、フォームから形成される請求項２７に記載の義足。
【請求項３５】  
前記足関節ブロックは、ウレタンから形成される請求項２７に記載の義足。
【請求項３６】  
前記足関節ブロックは、前記足板エレメントと前記足関節板エレメントとを支持および連結するソール手段を実質的に含む請求項２７に記載の義足。
【請求項３７】  
前記足関節ブロックは、少なくとも１つの開口部またはチャンバーを内部に含む請求項２７に記載の義足。
【請求項３８】  
概ね垂直な上方取付部および曲線状の足関節部を有する足関節板と、
踵端と爪先端との間を延びる足板であって、前記足板の踵端が前記義足の踵部分内に配置され、前記足板は前記足関節板に作動的に連結された前記足板と、
第１の取付場所において前記足関節板の上部取付部分に取り付けられるとともに、前記上部取付部分の背面の後側において前記義足の踵部分へ向かって下方向に第２の取付場所へ延びる接合部材であって、前記第１の取付場所と第２の取付場所との間の最大の間隔を制限し、当該接合部材は、前記第１の取付場所と前記第２の取付場所との間の測定した長さを変更可能である前記接合部材と、
を備える義足。
【請求項３９】  
前記接合部材は、ストラップである請求項３８に記載の義足。
【請求項４０】  
前記足関節板は、中間の足関節ブロックで前記足板に作動的に連結されている請求項３８に記載の義足。
【請求項４１】  
前記足関節板は、前記上部取付部分から下方向に、それから前方向に延びている請求項３８に記載の義足。
【請求項４２】  
前記接合部材は、前記足板に連結されている請求項３８に記載の義足。
【請求項４３】  
前記接合部材は、前記上部取付部分の背面に少なくとも部分的に接している請求項３８に記載の義足。
【手続補正２】
【補正対象書類名】明細書
【補正対象項目名】００４３
【補正方法】変更
【補正の内容】
【００４３】
義足１０の足関節板１４は、実質的に平坦であり、好ましくは足板１２より短い長さを有し、装着者の体重群により限定される厚さを有する。足関節板の厚さは、約０．０５から０．４インチ（０．１から１cm）であることが好ましい。この例において相当する足関節板１４は、後方部分６２では約０．２インチ（約０．５cm）の厚さであり、テーパをつけて前方部分６０では約０．１インチ（約０．２５cm）の厚さとなるようにすることがさらに好ましい。足関節板１４は、好ましくは、長さが約３から７インチ（約８から１８cm）、幅が約１から３インチ（約２．５から８cm）であり、さらに好ましくは、長さと幅との寸法が約５×２インチ（約１３×５cm）である。足関節板１４は、前方の先端６０が後方の先端６２よりも足板１２に近づく角度で配置する。図４に示す平面P３に対して、後方の先端は、約５から３０度の角度Ｙ分、さらに好ましくは約１０度高くなっている。
【手続補正３】
【補正対象書類名】明細書
【補正対象項目名】００５０
【補正方法】変更
【補正の内容】
【００５０】
特に図５Ａを参照すると、一歩行ストライドの第１の位置は、一般に踵接地を伴い、この第１の位置において、装着者は、先に踏み出した足の踵に体重の全てを移動させる。この場合には、足板１２の後方部分５４が、外装３０を介してではあるが、地面６８と接触する。足板１２に可撓性があることによって、後方部分５４が若干曲がり得るが、義足１０を介して装着者の体重により足板１２へかかる圧縮応力の殆どは、ばねエレメント１８を有した足関節ブロック１６の後方領域６４により吸収される。後部におけるばねエレメント１８は、後方端部８０における部材２２と２４との間の間隔が小さくなるように狭まる。足関節ブロック１６の前方領域６６では、ばねエレメント１８は、前端部８２において部材２２と２４との間の間隔が大きくなるように若干広がり得る。足関節ブロック１６の前方部分６６は、足関節ブロックの下方縁全体に沿って足板１２と接着されるので、引き伸ばされるかまたは引っ張られ、後方部分６４は、圧縮される。ばねエレメント１８が端部８０において狭まり、かつ足関節ブロック１６が端部６４において圧縮されることによって、義足１０が、踵接地中における圧縮応力によりエネルギーを吸収または蓄積できる。さらに、足関節板１４の後方領域６２において若干量の曲がりが生じ得る。部材２２と２４との間の後方補強材５３は、義足への必要な支持を提供するように、かつ、部材２２、２４が楔形部２８から引き離されるのを妨げるように圧縮される。前方補強材５２は、足関節ブロック１６の前方部分６６における張力のために実質的に垂直方向に若干引き伸ばされる。
【手続補正４】
【補正対象書類名】明細書
【補正対象項目名】００５１
【補正方法】変更
【補正の内容】
【００５１】
次に、図５Ｂでは、装着者は、概ね足底接地または立脚中期位置に到達し、それにより、足板１２は、ここでも外装３０を介して、実質的に全長に沿って地面６８に接する。この位置においては、装着者の体重は、実質的に下向きとなり、その結果、足関節ブロック１６の長さに沿った圧縮は、中心を外れて力がかかるために、前方部分６６におけるよりも後方部分６４における方が、わずかに過ぎないが多くなる。ばねエレメント１８の前方及び後方端部においては、部材２２及び２４は、相互に圧縮され、後方端部８０が、前方端部８２よりも若干多く元の位置から圧縮される。同様に、補強材５２及び５３は、下向きに力がかかることによって圧縮される。この図は、圧縮応力の分布自体を静止させたものだが、実際には装着者の体重は、パイロン３２の中心線７０の後方から前方へ連続的に移動している。従って、装着者が歩行動作を続けると、足関節ブロック１６及び、内部に埋設されたエレメントの圧縮は、後方部分６４から前方部分６６へ移動する。圧縮領域のこの移動を「転位（rollover）」と呼ぶ。
【手続補正５】
【補正対象書類名】明細書
【補正対象項目名】００８３
【補正方法】変更
【補正の内容】
【００８３】
図１７は、義足１０の別の実施形態を示す。この実施形態は、２枚の足関節板１４及び１５と、足関節ブロック１６と、足板１２とを概ね備える点で、上において図１２に示したものと類似する。しかしながら、図１７の義足１０では、板１４及び１５は、両方とも足関節ブロック１６の前部へ延びる。さらには、足関節ブロック１６は、内部を延びる複数の開口部を有しチャンバーが形成されたウレタンであることがさらに好ましい。特に、円筒状スロット５０及び５１に加えて、図１７の足関節ブロック１６もまた、側方から見ると実質的に長円形であり足関節ブロック１６の横断方向の大きさに亘って延びる開口部５５を有する。上述の実施形態と同様に、開口部５５は、ブロックの剛性を調節する他の材料で満たすことができる。開口部は、囲まれ、望ましい場合には、空気のような圧縮可能な流体で満たされ密閉されたチャンバーを画定し得る。
【手続補正６】
【補正対象書類名】明細書
【補正対象項目名】００９７
【補正方法】変更
【補正の内容】
【００９７】
パイロン２１４はまた、近位端に、断端ソケット３０（図示せず）への取付用の雌型ピラミッド状嵌合部２１６も有する。外側パイロン２１２は、通常の人工継手を使用する種々のタイプの義足の取付を容易にする円筒状の外面を有することが好ましい。例えば、パイロン２１２の下方端部は、ピラミッド状継手２１８と雌型ピラミッド状嵌合部２２０とを介して義足２００に取付可能である。ピラミッド状継手２１８は、外側パイロン２１２の下肢上を滑動し、所定位置に締め付けられる。
【手続補正７】
【補正対象書類名】図面
【補正対象項目名】図４
【補正方法】変更
【補正の内容】
【図４】
2004522471.tif 000001
【手続補正８】
【補正対象書類名】図面
【補正対象項目名】図１１Ｃ
【補正方法】変更
【補正の内容】
【図１１Ｃ】
2004522471.tif 000002